(57)【特許請求の範囲】
【請求項１】
中空のドライバゴルフクラブヘッドにおいて、
打撃面と、
後方壁と、
上記打撃面を上記後方壁に連結するヒール壁と、
上記打撃面を上記後方壁に連結するトウ壁とを有し、
上記後方壁が上記打撃面に対して実質的に平行に離間して配置され、当該ドライバゴルフクラブヘッドを上から見たときに上記ヒール壁および上記トウ壁は実質的にまっすぐな部分を含み、かつ、上記後方壁の水平方向の長さが上記打撃面の水平方向の長さの１２．５％から３３％であり、さらに、当該ドライバゴルフクラブヘッドの体積が少なくとも４５０ｃｃで４７５ｃｃ以下であることを特徴とするドライバゴルフクラブヘッド。
【請求項２】
中空のドライバゴルフクラブヘッドにおいて、
打撃面と、
後方壁と、
上記打撃面を上記後方壁に連結するヒール壁と、
上記打撃面を上記後方壁に連結するトウ壁とを有し、
上記ヒール壁および上記トウ壁は上記打撃面から上記後方壁へとテーパ付けされ、
さらに三角形状のクラウンを有し、かつ、上記後方壁の水平方向の長さが上記打撃面の水平方向の長さの１２．５％から３３％であり、さらに、当該ドライバゴルフクラブヘッドの体積が少なくとも４５０ｃｃで４７５ｃｃ以下あることを特徴とするドライバゴルフクラブヘッド。
【発明の詳細な説明】
【技術分野】
【０００１】
この発明は、改良されたメタルウッドまたはドライバのゴルフクラブに関する。より具体的には、この発明は、重心が下側にあり、慣性モーメントが大きい中空のゴルフクラブヘッドに関する。
【背景技術】
【０００２】
ゴルフクラブヘッドの設計が複雑であることは知られている。クラブの各部品（すなわちクラブヘッド、シャフト、グリップ、およびこれらの部品）の仕様が直接にクラブの性能に影響する。したがって、設計仕様を変更してゴルフクラブをしつらえて特別な性能特性を実現させることができる。
【０００３】
クラブヘッドの設計は長い間研究されてきた。クラブヘッドの設計においてより知られている配慮は、ロフト、ライ、フェース角、水平フェースの膨らみ、垂直フェースロール、重心、回転慣性モーメント、材質選択、および全体のヘッド重量である。基準に関するこれらの基本的なセットは一般にゴルフクラブ設計者の注目するところであるけれども、いくつかの他の設計側面も考慮されなければならない。クラブヘッドの内部デザインは特定の特性、例えば、ホーゼルすなわちシャフト固定手段の封入、クラブヘッドの周囲重み、および中空クラブヘッドのフィラーを実現するように仕上げられる。
【０００４】
ゴルフクラブは、また、ゴルフクラブとゴルフボールの間の衝突の間に繰り返し生じる衝撃に耐えることができるような頑強でなくてはならない。この突発的な現象時に起こる負荷は２０００ポンドを超えるピーク力をもたらす。したがって、主たる課題は、材料屈曲または破砕による永久的な変形または損傷に抗するクラブフェースおよびクラブ本体を設計することにある。チタンから製造される通常の空洞のメタルウッドドライバは、典型的には２．５ｍｍすなわち０．１０インチを越える均一の厚さを有し、クラブヘッドの構造的な一体性を確保している。
【０００５】
プレイヤは、一般に、最長距離および着地精度を実現するメタルウッドおよびゴルフボールの組み合わせを求める。ボールが衝突後に移動する距離は、ボールの初期速度の大きさおよび方向とボールの回転速度すなわちスピンにより支配される。雰囲気気圧、湿度、温度、および風速を含む環境条件もボールの飛行に影響する。ただし、これら環境的な作用はゴルフ製品設計者のコントロールを越えている。正確に着地するゴルフボールも多くの要因に起因する。こられ要因のいくつかはクラブヘッドのデザイン、例えば、重心およびクラブフェースの柔軟性に起因する。
【０００６】
合衆国ゴルフ協会（ＵＳＧＡ）、すなわち、合衆国におけるゴルフの規則を決定する運営団体は、ゴルフ用品の改良がゲームをつまらなくすると考え、ゴルフ用品の性能に関して仕様を規定する。これら性能仕様は、準拠するゴルフボールまたは準拠するゴルフクラブのサイズおよび重量を規定する。ＵＳＧＡ規則はドライバについて多くのパラメータを制約する。例えば、ドライバの体積は４６０＋−１０ｃｍ３に制約されてきた。パターを除き、シャフトの長さ４８インチにとどめられる。ドライバクラブは５インチ平方内にフィットしなければならず、ソールからクラウンまでの高さは２．８インチを越えることができない。ＵＳＧＡは、さらに、ドライバおよびゴルフボールの間の衝突の反発係数を０．８３０までに制約してきた。
【０００７】
ＵＳＧＡは、また、ドライバの回転慣性モーメント、すなわち、芯からはずれた打撃時のねじれに対するクラブの耐性が約１９９０から２００５年までに３倍になったと理解しており、これはオーバーサイズのドライバの出現に一致する。回転慣性モーメントが大きなドライバは芯から外れた打撃に対してより寛容的であるので、ＵＳＧＡは、慣性モーメントが大きなドライバによる芯から外れた打撃に対する傾向により利益を得るのはハンデが大きなまたは中くらいのプレイヤであるけれども、クラブヘッドの慣性がさらに増加するとゲームの難しさが少なくなると考えた。２００６年、ＵＳＧＡは、ドライバの慣性モーメントの制限を５９００ｇ・ｃｍ２＋−１００ｇ・ｃｍ２すなわち３２．２５９ｏｚ・ｉｎ２＋−０．５４７ｏｚ・ｉｎ２とすることを発表した。慣性モーメントの制約は、クラブヘッドの重心を通る垂直軸の回り、ここではｙ軸の回りで測定される。
【０００８】
多くの特許文献、例えば米国特許第６，６０７，４５２号（特許文献１）および同第６，４２５，８３２号（特許文献２）が慣性モーメントの大きなドライバクラブを開示している。これらのドライバクラブはクラブヘッドの打撃フェースから離れた周囲に配された円形の重み片を採用して、垂直軸回りに２８００から５０００ｇ・ｃｍ２の慣性モーメントを実現する。米国特許出願公開２００６／０１４８５８６Ａ１（特許文献３）は垂直方向の慣性モーメントが３５００から６０００ｇ・ｃｍ２のドライバクラブを開示している。ただし、’５８４出願は、ドライバクラブの形状を頂部から見たときに四角に制約し、重心を通る水平方向の慣性モーメントは垂直方向の慣性モーメントに較べて著しく小さい。
【０００９】
しかしながら、現在市販されている多くのオーバーサイズのドライバの慣性モーメントは約４０００ｇ・ｃｍ２から４３００ｇ・ｃｍ２の範囲である。したがって、ハンデが大きな、または中くらいのプレイヤに対してより寛容的で垂直方向および水平方向の双方に慣性モーメントの制限をより大きくすることによる利益を享受できるドライバまたはメタルウッドクラブに対する要請が依然としてある。
【特許文献１】米国特許第６，６０７，４５２号明細書
【特許文献２】米国特許第６，４２５，８３２号明細書
【特許文献３】米国特許出願公開２００６／０１４８５８６Ａ１
【発明の開示】
【００１０】
この発明は、中空クラブヘッド、例えば、メタルウッド、ドライバ、フェアウェイウッド、パター、またはユーティリティクラブ用の効率的な形状を含む。これら形状は、これに限定されないが、三角、切頂三角、または台形を含む。これら形状はより小さな表面面積を使用し、より多くの重量が再分配されて回転慣性モーメントおよび重心の位置を改良できる。
【００１１】
この発明は、また、軽量中央部を具備してより多くの重量が再分配されて回転慣性モーメントおよび重心の位置を改良できる中空ゴルフクラブヘッドを含む。
【００１２】
この発明の上述および他の特徴は添付図面に示される発明の以下の説明から容易に理解できる。添付図面はここに組みこまれて明細書の一部を構成し、発明の原理を説明し当業者による発明の実施を可能にする。
【発明を実施するための最良の形態】
【００１３】
ゴルフボールの回転慣性モーメント（「ＭＯＩ」または「慣性」）は当業界で周知であり、多くの文献において十分に検討されており、これには米国特許第４，４２０，１５６号が含まれ、参照してその内容をここに組みこむ。慣性が小さすぎると、クラブヘッドは芯から外れた打撃により過剰に回転する傾向がある。慣性を大きくすると、回転質量が大きくなり、芯から外れた打撃による回転が少なくなり、このため、芯から外れた打撃でも遠くに意図した軌道に近く飛ばすことができる。慣性は、クラブヘッドの重心を通る垂直軸の回り（Ｉｙｙ）、重心（ｃ．ｇ．）を通る水平軸の回り（Ｉｘｘ）で測定でき、これは図１に示すとおりである。クラブヘッドがｃ．ｇ．をとおる垂直ｙ軸の回りを回転する傾向は、ｙ軸からの芯外れの打撃により引き起こされる回転量を示す。同様に、クラブヘッドがｃ．ｇ．をとおる垂直ｘ軸の回りを回転する傾向は、ｘ軸からの芯外れの打撃により引き起こされる回転量を示す。ほとんどの芯外れの打撃は、ｘ軸およびｙ軸の双方の回りの回転傾向をもたらす。ＩｘｘおよびＩｙｙが大きいと、回転傾向を減少させ、芯外れの打撃をより許容する。
【００１４】
慣性はシャフト軸（Ｉｓａ）回りでも測定され、これも図１に示す。まず、クラブのフェースがアドレス位置にセットされ、フェースがスケアーにされ、ロフト角およびライ角がセットされ、この後、測定が行なわれる。どのようなゴルフボールの打撃であってもシャフト軸回りにクラブヘッドを回転させる傾向がある。トウへの芯外れの打撃はシャフト回りに回転させる傾向を最も大きくし、ヒールへの芯外れの打撃が、最も小さくする。Ｉｓａが大きいと回転傾向が小さくなり、打撃フェースの制御を確実にする。
【００１５】
一般に、スイートスポットを大きくするために、クラブヘッドの重心をクラブヘッドの底および背面に移動させる。このようにすると、平均的なゴルファはボールを空中に高く、速く打ち上げ、ボールをより遠くへ打ち出す。さらに、クラブヘッドの慣性モーメントを大きくして芯外れの打撃に伴う距離および精度のペナルティを最小化する。クラブヘッドの重量を増大させることなしに重量を下方および後方に移動させるために、材料すなわち質量をクラブヘッドの１つの領域から取って他の領域に移動させる。材料はクラブのフェースから取り出し、薄いクラブフェースを形成し、クラウンおよび／またはソールをクラブの後方に配置する。
【００１６】
この発明の発明者は、ｃ．ｇ．を通る垂直軸および水平軸の双方の回転慣性モーメントを大きくできる、クラブヘッド用の奇抜で効率的な形状を発見した。このようなクラブヘッドは理想化された形態では図２ａ〜２ｄに示される。理想化されたクラブヘッド１０は、上からみると、図２ａに示すように、切頂三角形又は台形のクラウン１２を具備し、そのスカート／側部は、図２ｃに示すように、打撃フェース１４から後方部１６へとテーパ付けされている。ここで用いるように、「三角形」または「三角形の形状」は実質的には台形形状または切頂三角形を意味し、角が丸められても丸められなくても良い。
【００１７】
理想化されたクラブヘッド１０はＵＳＧＡのサイズ制限をすべて満たす。より具体的には、クラブヘッドの体積は４６０ｃｃに設定され、その重量は２００グラムである。図２ａに最も良く示されるように、打撃フェース１４から後方部１６への距離は５インチであり、クラブヘッド１０の最も幅広の部分は、線１８でラベル付けされ、同様に５インチ幅である。したがって、クラブヘッド１０はＵＳＧＡの５インチ平方内にフィットする。打撃フェース１４の高さは２インチであり、ＵＳＧＡの２．８インチの制限を下回り、長さは４インチである。後方部１６の高さ０．７５インチより若干高く、その長さは１インチより若干長い。後方部１６の水平長さは、打撃フェース１４の長さの約１／８から１／３であり、好ましくは約１／４である。これらの寸法は、この理想化されたクラブヘッドがＵＳＧＡにより設定された体積制限を満たすように選択される。
【００１８】
打撃フェース１４の厚さは０．１２２インチに設定されて実際の打撃フェースを模倣し、クラブの残りの部分の側壁は約０．０２６インチである。クラブヘッドの重量を２００グラムに維持しながら、表面面積の利用を有効にすることにより、すなわち、クラブヘッドの表面面積を最小化してクラブヘッドの重量を減少させることにより、約１９グラムの重量が節約でき後方部１６の近くに配置できｃ．ｇ．の位置を最大化し、クラブヘッドの回転慣性モーメントを最大化できる。理想化されたクラブヘッド１０の質量特性は表１に示される。
【表１】
0005467717.tif 000002
【００１９】
表１に示すように、Ｉｙｙ、すなわち、ｃ．ｇ．を通る垂直回転慣性はＵＳＧＡ制限であり、Ｉｘｘ、すなわち、ｃ．ｇ．を通る水平回転慣性もＵＳＧＡ制限と実質的である。Ｉｘｘが比較的大きいのでゴルフボールのｃ．ｇ．に対する上または下の衝撃に対してより寛容的であり、ボール飛行の軌道を変更する傾向が少なくなる。表１、２、および３の慣性は商業的に入手可能なＣＡＤ（コンピュータ支援デザイン）システムを用いて計算される。
【００２０】
他の理想化されたクラブヘッドの形状が図３ａ〜３ｃに示され、これを検討する。理想化されたクラブヘッド２０は理想化されたクラブヘッド１０と同一の体積およぶ重量を有する。クラブヘッド２０は図３ａに示すように上から見たときに実質的に四角なクラウン２２と、図２ｃに示すように、側部から見たときにテーパ付けがなされたスカート／側部とを有する。図３ａに最も良く示されるように、打撃フェース２４から後方部２６への距離は４．７２インチであり、クラブヘッド２０の最も幅広の部分は、線２８でラベル付けされ、同様に４．７２インチ幅である。したがって、クラブヘッド１０はＵＳＧＡの５インチ平方内にフィットする。打撃フェース２４の高さは２インチであり、ＵＳＧＡの２．８インチの制限を下回り、長さは４インチである。後方部２６の高さ０．２５インチより若干高く、その長さは４．７２インチより若干長く、矩形形状を維持する。これらの寸法は、この理想化されたクラブヘッド２０がＵＳＧＡにより設定された体積制限を満たすように選択される。
【００２１】
打撃フェース２４の厚さは０．１２２インチに設定されて実際の打撃フェースを模倣し、クラブの残りの部分の側壁は約０．０２６インチである。クラブヘッドの重量を２００グラムに維持しながら、矩形形状によりもたらされる大きな表面面積により、約３．７グラムの重量が節約でき後方部２６の近くに配置できる。理想化されたクラブヘッド２０の質量特性は表２に示される。
【表２】
0005467717.tif 000003
【００２２】
ドライバクラブヘッドに対して三角形の利点が表２に明瞭に示される。双方の形状において重量、体積およびＩｙｙは同一または実質的に同一であるけれども、間隔形状がより効率的であるので、より多くの重量を打撃フェースの後方に配置でき、ｃ．ｇ．およびＩｘｘを改善する。
【００２３】
クラブヘッド３０は図１、４および５に示され、理想化された三角形のクラブヘッド１０の利点を組み入れている。クラブヘッド３０は、クラウン３２、打撃フェース３４、後方部または背部３６およびホーゼル３８を有する。図５に最も良く示されるように、クラウン３２は、打撃フェース３４から後方部３６まで実質的に三角形または台形の形状をしており、打撃フェース３４が三角形または台形の底辺を形成し、後方部３６が三角形の丸められた頂部、または台形の短辺を形成する。好ましくは後方部３６の水平長さは、打撃フェース３４の水平長さの約１２．５％から約３３％であり、好ましくは約２５％である。図４に最も良く示されるように、クラブヘッド３０は、ヒール側およびトウ側の打撃フェースからクラブヘッドの後方へ向かうターパ付けされたスカート／側部を有し、これは理想化されたクラブヘッド１０と類似する。クラブヘッド３０のスカート／側部は好ましくは実質的に真直ぐな一部分を含む。
【００２４】
クラブヘッド３０の体積は約４５０ｃｃまたはそれ以上であり、その重量は約１９４グラムから約２００グラムである。その高さは約２．４インチまたはそれ未満である。全体のクラブヘッドは５インチ平方内にフィットし、約５ｍｍのすきまがある。ホーゼル３８は好ましくは低密度の材料、例えばアルミニウムから製造され、クラウン３２の頂部に位置する平面の上に配置される。三角形／台形の形状は、ｃ．ｇ．の後方で伝統的な西洋ナシ形状のドライバに較べて体積で約８％小さい。クラブはチタンの打撃フェースを具備し、その厚さは約０．１３０インチである。クラブの残部はチタンから製造されその厚さはクラウンで約０．０２４インチ、ソールで約０．０３０インチである。この発明の非理想化クラブヘッド３０の質量特性は表３に示す。
【表３】
0005467717.tif 000004
【００２５】
この発明の他の側面によれば、重量が、クラブヘッドのクラウン、ソール、およびスカート／側部から後方部またはクラブヘッドの周囲へ移動されてクラブヘッドの回転慣性が増大する。さらに、クラブヘッドの中央部が軽量材料、例えば、カーボンファイバ複合材、アルミニウム、マグネシウム、熱可塑性または熱硬化性ポリマーから製造され、付加的な重量が中央部から後方部および／または周囲に沿って再配置できるようになっている。
【００２６】
図６に示すように、クラブヘッド４０はクラブヘッド３０と実質的に同一の形状をしており、前面打撃カップ４２（これは打撃フェース（図示しない）を含む）、クラウン部４４、ヒールスカート部４６、トウ部（図示しない）、およびヒール部（図示しない）を具備する。クラブヘッド４０も後方カップ４８を有し、これが前面打撃カップ４２から離れて配置される。後方カップ４８および前面カップ４２は好ましくはチタンまたはステンレス鋼または双方を用いて鋳造または鍛造で製造される。中央部５０は、破線で示され、前面棚部５２で前面打撃カップ４２と結合され背面棚部５４で後方カップ４８と結合される。１実施例において、中央部５０は軽量のカーボンファイバチューブから製造される。棚部５２および５４の表面は好ましくは前面打撃カップ４２および後方カップ４８の表面からリセス状とされ、中央部５０を前面打撃カップ４２および後方カップ４８に結合したときに、クラブヘッド４０の表面が単一の平坦な面をなすようにする。棚部５２および５４は前面打撃カップ４２および後方カップ４８と同一の材料で製造して単一に形成でき、またこれらを他の軽量材料から製造しても良い。
【００２７】
１実施例において、中央部５０は前面打撃カップ４２および後方カップ４８と接着剤、例えばＤＰ４２０ＮＳまたはＤＰ４６０ＮＳ、その他の周知の接着剤により結合され、これら２成分エポキシは３Ｍから入手できる。
【００２８】
以下の表４において、全アルミニウム版のクラブヘッド３０、および複合材のクラブヘッド４０のＣＡＤプログラムにより計算された質量特性が示される。この例では、クラブヘッド４０はチタンから製造され、その密度は約４．４３ｇ／ｃｃであり、また、カーボンファイバチューブの中央部を具備し、その密度は約１．２ｇ／ｃｃである。中央部の密度は、前面打撃カップの密度および／または後方カップの密度の約半分またはそれ未満、好ましくは約３分の１またはそれ未満でなければならない。
【表４】
0005467717.tif 000005
【００２９】
表４によれば、軽量の中央部を利用して４３．３グラムの重量（２１グラムの重量に代えて）を後方または周囲の回りに採用して回転慣性を増大できることがわかる。ｃ．ｇ．は約０．０３５インチだけ下方にされ、Ｉｙｙは約１１．９％だけ増大し、Ｉｘｘは約２５．７％だけ増大し、
【００３０】
軽量の中央部を伴う他の実施例の三角形／台形のクラブヘッドが図７〜図１３に示される。クラブヘッド６０は図７に示され、クラブヘッド４０と類似である。ただし、前面打撃カップ４２が後方カップ４８と単一ブリッジ、すなわちソールブリッジ６２により結合され、これは前面打撃カップおよび／または後方カップと同一の材料で製造されて構造的な支持を増大させる。この単一ブリッジはクラブヘッドのどこに配置されても良く、例えば、ヒール、クラウン、トウ、クラブヘッド上の任意の角に配置されて良い。軽量の中央部５０は前面棚部５２、後方棚部５４、およびブリッジに結合できる。
【００３１】
クラブヘッド７０は図８に示され、前面打撃カップ４２および／または後方カップ４８と同一の材料から製造されたソールブリッジ７２およびクラウンブリッジ７４を具備し構造的な支持を増大させる。
【００３２】
クラブヘッド８０は図９に示され、ヒールブリッジ８２およびトウブリッジ８４を具備する。
【００３３】
クラブヘッド９０は図１０に示され、クラブヘッド８０と類似であり、ヒールブリッジ９２およびトウブリッジ９４を具備する。ただし後方カップ４８は後方棚部を有さない。
【００３４】
クラブヘッド１００は図１１に示され、クラブヘッド７０と類似であり、ソールブリッジ１０２およびクラウンブリッジ１０４を具備する。ただし、前面打撃カップ４２および後方カッ費４８のいずれも棚部を具備しない。
【００３５】
クラブヘッド１１０は図１２に示され、クラブヘッド８０および９０と類似であり、ヒールブリッジ１１２およびトウブリッジ１１４を具備する。ただし、前面打撃カップ４２および後方カッ費４８のいずれも棚部を具備しない。
【００３６】
さらに、クラブヘッド１２０は図１３に示され、前面打撃カップを後方カップ４８にソールブリッジ１２２、クラウンブリッジ１２４、ヒールブリッジ１２６、およびトウブリッジ１２８により連結させている。前面打撃カップ４２および後方カップ４８はカップを軽量の中央部に連結させるための棚部を具備しても具備しなくても良い。
【００３７】
軽量の中央部を伴う種々の復号クラブヘッドの質量特性、および種々の幾何形状の他のクラブヘッドの質量特性がＣＡＤプログラムを用いて評価され、最適な形状、ｃ．ｇ．の位置、回転慣性が確かめられる。結果を表５にまとめる。参考までに、クラブヘッド３０および４０の質量特性が表４から抜き出して表５にそれぞれアッセンブリ＃３ｂおよび＃３ｂ−ｃｆ１として繰り返される。
【００３８】
表５のすべてのクラブヘッドの重量は１９７グラムであり、ソールの厚さは０．０３０インチ、クラウン／側部の壁の厚さは０．０２４インチである。ただし、アッセンブリ＃３のクラウン／側部の壁の厚さは０．０３０インチであり、アッセンブリ＃３ｂ−ｃ１および＃３ｂ−ｃｆ２のＴｉ側壁は約０．０３０インチであり、カーボンファイバの側壁は０．０３５インチである。さらに、「最大寸法」の欄はクラブヘッドがその内部にフィットする矩形のプリズムの寸法を示す。ＵＳＧＡにより許容されている最大矩形プリズムは５’’×５’’×２．８’’である。
【表５】
0005467717.tif 000006
【００３９】
表５から、軽量の中央部を含むクラブヘッド、すなわちアッセンブリ＃３ｂ−ｃｆ１および＃３ｂ−ｃｆ２がＩｘｘおよびＩｙｙの最も大きな組み合わせを具備することがわかる。さらにアッセンブリ＃１および＃２の結果から、三角形クラブヘッド、例えば図２ａ〜２ｄに示したものにおいて、三角形の効率に起因して、小さな体積が大きなＩｙｙおよび低いｃ．ｇ．を実現することがわかる。さらに、テストされたすべてのクラブのＩｘｘ／Ｉｙｙ比は０．６５０より大きく、いくつかは０．７００以上の比を具備することが分かる。テストされたすべてのクラブのＩｘｘ／Ｉｙｙ比はテストされた市販されているクラブの比より大きい。
【００４０】
この発明のクラブヘッドは他の種類の中空クラブヘッド、例えばフェアウェイウッド、ハイブリッドクラブまたはパターにも採用できる。
【００４１】
この発明の事例的な実施例を詳細に説明したが、それらは説明の便宜および一例として提示され、制約のためでないことに留意されたい。当業者には、形態および詳細において種々の変形がこの発明の精神および範囲から逸脱することなしに行なえることは明白である。したがってこの発明の広さおよび範囲は上述の事例的な実施例のいずれにも制約されず、特許請求の範囲および均等物に従ってのみ規定される。また、ここで検討された各実施例および引用した参考文献における各特徴は任意の他の実施例の特徴と組み合わせて採用できることに留意されたい。ここに検討したすべての特許および参考文献は参照してここに組み入れる。
【図面の簡単な説明】
【００４２】
【図１】この発明のクラブヘッドの内部を示すためにその一部をきり書いた正面図である。
【図２ａ】この発明の、理想化した三角形のクラブヘッドの平面図である。
【図２ｂ】この発明の、理想化した三角形のクラブヘッドの斜視図である。
【図２ｃ】この発明の、理想化した三角形のクラブヘッドの側面図である。
【図２ｄ】この発明の、理想化した三角形のクラブヘッドの正面図である。
【図３ａ】他の理想化したクラブヘッドの平面図である。
【図３ｂ】他の理想化したクラブヘッドの斜視図である。
【図３ｃ】他の理想化したクラブヘッドの側面図である。
【図３ｄ】の理想化したクラブヘッドの正面図である。
【図４】図１のクラブヘッドの側面図である。
【図５】図１のクラブヘッドの平面図である。
【図６】クラブヘッドが軽量中央部を有する、図１の他の実施例の側方斜視図である。
【図７】軽量中央部を伴うこの発明のクラブヘッドの他の実施例の斜視図である。
【図８】軽量中央部を伴うこの発明のクラブヘッドの他の実施例の斜視図である。
【図９】軽量中央部を伴うこの発明のクラブヘッドの他の実施例の斜視図である。
【図１０】軽量中央部を伴うこの発明のクラブヘッドの他の実施例の斜視図である。
【図１１】軽量中央部を伴うこの発明のクラブヘッドの他の実施例の斜視図である。
【図１２】軽量中央部を伴うこの発明のクラブヘッドの他の実施例の斜視図である。
【図１３】軽量中央部を伴うこの発明のクラブヘッドの他の実施例の斜視図である。
【符号の説明】
【００４３】
１０    クラブヘッド
１２    クラウン
１４    打撃フェース
１６    後方部
【図１】
0005467717.tif 000007
【図２ａ】
0005467717.tif 000008
【図２ｂ】
0005467717.tif 000009
【図２ｃ】
0005467717.tif 000010
【図２ｄ】
0005467717.tif 000011
【図３ａ】
0005467717.tif 000012
【図３ｂ】
0005467717.tif 000013
【図３ｃ】
0005467717.tif 000014
【図３ｄ】
0005467717.tif 000015
【図４】
0005467717.tif 000016
【図５】
0005467717.tif 000017
【図６】
0005467717.tif 000018
【図７】
0005467717.tif 000019
【図８】
0005467717.tif 000020
【図９】
0005467717.tif 000021
【図１０】
0005467717.tif 000022
【図１１】
0005467717.tif 000023
【図１２】
0005467717.tif 000024
【図１３】
0005467717.tif 000025